(57)【要約】【課題】実用性が高く、誤判定の少ない主要被写体領域判定が可能なデジタルカメラを提供する。【解決手段】デジタルカメラは、レリーズボタンの半押しでプレ撮影を行い、得られたプレ画像に基づいて撮影条件を決定し、レリーズボタンの全押しにより前記撮影条件に基づいて本撮影を行って本画像を得る。ストロボ光は、近距離にある主要被写体には到達するが、背景には到達しない。このため、主要被写体領域を判定する場合には、本撮影時にストロボを強制発光して得られた本画像と、ストロボ発光せずに撮影されたプレ画像とを比較して、輝度差の高い高輝度領域を抽出する。高輝度領域が複数ある場合には、画面の中心に近い領域を主要被写体領域と判定する。【選択図】　　　　図５
2004135184.tif 000002
【特許請求の範囲】
【請求項１】
被写体を撮像して撮影画像を得る撮像手段と、ストロボ装置とを備えたデジタルカメラにおいて、
同じシーンに対して、ストロボ発光有りとストロボ発光無しの２回の撮影を行い、これらによって得られた２つの画像のそれぞれの画面内の対応する部分の輝度差を求める輝度差算出手段と、前記輝度差が予め設定された閾値よりも大きく、かつ所定面積以上の大きさを持つ高輝度領域を調べて、主要被写体領域を判定する主要被写体領域判定手段とを設けたことを特徴とするデジタルカメラ。
【請求項２】
前記ストロボ発光有りの撮影は、記憶媒体へ記録される本画像を得るための本撮影であり、ストロボ発光無しの撮影は、前記本撮影の前に行われ、前記本撮影の撮影条件を得るためのプレ撮影であることを特徴とする請求項１記載のデジタルカメラ。
【請求項３】
前記高輝度領域が複数存在する場合には、前記主要被写体領域判定手段は、画面の中心位置に近い領域、又は、面積が最も大きい領域を主要被写体領域と判定することを特徴とする請求項１又は２記載のデジタルカメラ。
【請求項４】
前記判定により得られた主要被写体領域情報を、撮影画像とともに記憶媒体へ記録することを特徴とする請求項１〜３いずれか記載のデジタルカメラ。
【発明の詳細な説明】
【０００１】
【発明の属する技術分野】
本発明は、撮影した画像の主要被写体領域を判定する機能を備えたデジタルカメラに関するものである。
【０００２】
【従来の技術】
ＣＣＤなどの撮像手段によって被写体を撮像し得られた撮影画像をデジタルデータとしてメモリーカードに記録するデジタルカメラが普及している。撮影画像データは、例えば、ＥＸＩＦ形式の画像ファイルとしてメモリーカードに記録される。ＥＸＩＦ規格は、周知のように、ＪＥＩＴＡ（電子情報技術産業協会）によって規格化されたものであり、ＥＸＩＦ形式の画像ファイルには、画像データの他に、画像データに関連する付帯情報を格納することができる。
【０００３】
この付帯情報には、露出時間，絞り値，輝度値，ストロボ発光の有無など撮影条件に関する撮影条件データや、撮影された日時データ及び撮影モード情報など各種のものがある。画像ファイル内には、これら各付帯情報の種類毎にタグと呼ばれる情報格納エリアが設けられており、各付帯情報はそれぞれのタグに格納される。
【０００４】
付帯情報の種類は、規格のバージョンアップにともなって増加しており、最新のバージョン２．１においては、新たに画面内の主要被写体領域情報を格納する被写体領域タグが追加されている。これらの付帯情報は、例えば、画像をプリントする際に、プリンタによって参照され、適切な画像処理を施すために利用される。主要被写体領域が分かると、適正な露出補正処理がしやすくなり、良好な画質を得るのに役立つ。
【０００５】
主要被写体位置を判定する方法としては、例えば、撮影者が光学ファインダーを覗いているときにその視線を検知することにより判定する方法や、画像の肌色部分を検出することにより判定する方法などが知られている（例えば、特許文献１参照）。
【０００６】
【特許文献１】
特開平７−４３７９２号公報
【０００７】
【発明が解決しようとする課題】
しかしながら、デジタルカメラでは、フレーミングの際に電子ビューファインダが利用される場合が多く、光学ファインダーを除く撮影者の視線を検知する方法は実用性に欠ける。また、画像の肌色部分を検出する方法では、被写体が人物以外である場合には、誤った対象を主要被写体と判定してしまうというように、誤判定の確率が高い。また、肌の色は人によって異なるので、判定の基準となる色範囲に幅を持たせることが必要になるが、これを広げると誤判定の確率はいっそう高くなる。
【０００８】
本発明は、実用性が高く、しかも、誤判定が少ない主要被写体領域判定機能を持つデジタルカメラを提供することを目的とする。
【０００９】
【課題を解決するための手段】
前記目的を達成するために、本発明のデジタルカメラは、被写体を撮像して撮影画像を得る撮像手段と、ストロボ装置とを備えたデジタルカメラにおいて、同じシーンに対して、ストロボ発光有りとストロボ発光無しの２回の撮影を行い、これらによって得られた２つの画像のそれぞれの画面内の対応する部分の輝度差を求める輝度差算出手段と、前記輝度差が予め設定された閾値よりも大きく、かつ所定面積以上の大きさを持つ高輝度領域を調べて、主要被写体領域を判定する主要被写体領域判定手段とを設けたことを特徴とする。
【００１０】
前記ストロボ発光有りの撮影を、記憶媒体へ記録される本画像を得るための本撮影とし、ストロボ発光無しの撮影を、前記本撮影の前に行われ、前記本撮影の撮影条件を得るためのプレ撮影とすれば、通常の撮影手順に従って、主要被写体領域の判定をすることができる。
【００１１】
前記高輝度領域が複数存在する場合には、画面の中心位置に近い領域、又は、面積が最も大きい領域を主要被写体領域と判定するとよい。前記判定により得られた主要被写体領域情報を、撮影画像とともに記憶媒体へ記録するとよい。
【００１２】
【発明の実施の形態】
図１は、デジタルカメラ１０の構成を示すブロック図である。デジタルカメラ１０は、撮影した画像データを、ＥＸＩＦ形式の画像ファイルに変換して、本体に着脱自在にセットされるメモリーカード１１へ記録する。画像ファイルには、画像データの他に、付帯情報が格納される。
【００１３】
ＣＰＵ１２は、操作部１３から入力される操作信号に応じてデジタルカメラ１０の本体各部を制御する。操作部１３は、電源ボタン，レリーズボタン，モード切り換えダイヤル，汎用キーなどからなる。モード切り換えダイヤルは、画像を撮影する撮影モードと、撮影した画像をＬＣＤ１４に再生表示する再生モードとを切り換える。ＬＣＤ１４には、再生画像の他、各種設定を行うメニュー画面が表示される。汎用キーは、メニュー画面内のカーソルを移動して設定項目の選択に使用される。このＬＣＤ１４には、被写体確認用のスルー画が表示されて、電子ビューファインダとしても機能する。
【００１４】
設定項目としては、例えば、ストロボ装置１６の発光モードや、記録画素数の設定など各種の項目がある。ストロボ発光モードとしては、被写体輝度に応じて発光するオートモード，赤目現象を軽減する赤目軽減モード，被写体輝度に関わらず強制的に発光させる強制発光モード，強制的にストロボ発光を禁止する発光禁止モードなどがある。
【００１５】
また、デジタルカメラ１０は、撮影した画像の主要被写体領域を判定する機能を備えている。判定した主要被写体領域情報は、画像ファイル内の被写体領域タグへ格納されて、画像データとともにメモリーカード１１へ記録される。この主要被写体領域判定機能も、設定によりアクティブ、非アクティブの切り換えをすることができる。主要被写体領域判定は、後述するように、ストロボ装置１６が発光するストロボ光を利用してなされる。このため、主要被写体領域判定機能をアクティブに設定すると、前記強制発光モードが自動的に選択される。
【００１６】
周知のとおり、デジタルカメラ１０の前面には、ズームレンズ１８とフォーカスレンズ１９とからなる撮影レンズが設けられている。ズームレンズ１８とフォーカスレンズ１９との間には、絞り２１が、フォーカスレンズ１９の背後にはメカニカルシャッタを構成するシャッタ羽根２２が配置されている。
【００１７】
ズームレンズ１８とフォーカスレンズ１９は、それぞれモータを含むレンズ駆動機構２３，２４によって光軸方向で移動される。絞り２１は、モータを含む絞り駆動機構２６によって駆動されて絞り径が切り換えられる。シャッタ羽根２２は、モータを含むシャッタ駆動機構２７によって駆動される。
【００１８】
レンズ駆動機構２３，２４及び絞り駆動機構２６は、ＣＰＵ１２に制御されるモータドライバ２８〜３０によって駆動される。シャッタ駆動機構２７は、タイミングジェネレータ３１からタイミング信号が入力されたときに、モータドライバ３２によって駆動される。
【００１９】
撮影レンズの背後には、撮像素子としてＣＣＤイメージセンサ３３が配置されている。ＣＣＤイメージセンサ３３は、周知のように、多数の受光素子をマトリックス状に配列することにより光電面を備えており、撮影光学系を通過し、この光電面に結像した被写体光を光電変換する。光電面の前方には、各画素に光を集光するためのマイクロレンズアレイと、各画素がそれぞれＲ，Ｇ，Ｂのいずれかに対応するように各色のフイルタが規則的に配列されたカラーフイルタアレイとが配置されている。
【００２０】
ＣＣＤイメージセンサ３３は、ＣＣＤドライバ３６から供給される垂直転送クロック及び水平転送クロックに同期して、画素毎に蓄積された電荷を１ラインずつシリアルな撮像信号として出力する。各画素の電荷蓄積時間（露出時間）は、ＣＣＤドライバ３６から与えられる電子シャッタ駆動信号によって決められる。
【００２１】
メカニカルシャッタは、本撮影時に、ＣＣＤイメージセンサ３３と同期して作動する。ＣＣＤイメージセンサ３３では、太陽光などの強い光が光電面に入射すると、電荷の垂直転送が行われる縦方向にスジが生じるスミアと呼ばれる現象が発生する。メカニカルシャッタは、電子シャッタが駆動した直後に閉じて光電面に入射する光を遮ることで、このスミアの発生を防止する。ＣＣＤドライバ３６には、シャッタ駆動機構２７と同様に、タイミングジェネレータ３１からタイミング信号が入力され、このタイミング信号により、ＣＣＤイメージセンサ３３とメカニカルシャッタとの間で同期が取られる。
【００２２】
ＣＣＤイメージセンサ３３から取り込まれたアナログの撮像信号は、アナログ信号処理回路３８に入力される。アナログ信号処理回路３８は、相関２重サンプリング回路（ＣＤＳ）と、オートゲインコントローラ（ＡＧＣ）と、ＡＤコンバータ（ＡＤＣ）とからなる。ＣＤＳは、アナログ信号のノイズを除去し、ＡＧＣはアナログ信号のゲインを自動調節する。ＡＤＣは、アナログ信号をデジタル変換して画像データを生成する。この画像データは、各画素毎にＲ，Ｇ，Ｂの濃度値を持つＣＣＤ−ＲＡＷデータであり、このＣＣＤ−ＲＡＷデータがＤＳＰ（Ｄｉｇｉｔａｌ　Ｓｉｇｎａｌ　Ｐｒｏｃｅｓｓｏｒ）　４１へ入力される。アナログ信号処理回路３８にも、タイミングジェネレータ２６からのタイミング信号が供給され、ＣＣＤイメージセンサ３３から電荷が取り込みまれるタイミングと同期が取られている。
【００２３】
ＤＳＰ４１は、ＡＦ回路４３，ＡＥ／ＡＷＢ回路４４，画像入力コントローラ４６，画像処理回路４７，圧縮処理回路４８，メディアコントローラ４９，ビデオエンコーダ５１からなるＩＣチップであり、アナログ信号処理回路３８から入力された画像データに対して、各種の信号処理を施すとともに、スルー画のＬＣＤ１４への表示や、メモリーカード１１へアクセスして画像ファイルの読み書きを行う。
【００２４】
画像入力コントローラ４６は、アナログ信号処理回路３８から前記ＣＣＤ−ＲＡＷデータを取り込んで、これをフレームメモリ４２に書き込む。フレームメモリ４２は、ＤＳＰ４１が画像データに対して各種信号処理を施す際に使用する作業用メモリである。フレームメモリ４２は、データバス５５を介して、ＣＰＵ１２とＤＳＰ４１の各部と接続されている。フレームメモリ４２としては、例えば、一定周期のバスクロック信号に同期してデータ転送を行うＳＤＲＡＭ（Ｓｙｎｃｈｒｏｎｏｕｓ　Ｄｙｎａｍｉｃ　Ｒａｎｄｏｍ　Ａｃｃｅｓｓ　Ｍｅｍｏｒｙ）が使用される。
【００２５】
ＣＣＤイメージセンサ３３から取り込まれる画像データには、スルー画及び本画像の他に、プレ画像がある。スルー画は、上述したとおりフレーミングに利用される確認用の画像であり、撮影モードが選択されている間、所定間隔で撮像される。スルー画は、ビデオエンコーダ５１によってコンポジット信号に変換されてＬＣＤ１４に出力される。プレ画像は、プレ撮影によって得られる画像である。プレ撮影とは、本画像を撮影する前に行われ本画像を撮影する際の撮影条件を決定するための撮影をいう。
【００２６】
ＣＰＵ１２は、レリーズボタンが半押しされると半押し信号を検出し、ＣＣＤイメージセンサ３３にプレ撮影を実行させる。得られたプレ画像は、ＤＳＰ４１を介していったんフレームメモリ４２へ書き込まれる。このプレ画像に基づいて、ＡＦ回路４３及びＡＥ／ＡＷＢ回路４４が撮影条件を決定する。ＡＦ回路４３は、プレ画像に基づいて、焦点位置を検出し、フォーカシングを行う。焦点検出方式としては、例えば、ピントが合った状態では画像のコントラストが高くなるという特徴を利用して合焦位置を検出するパッシブ方式が採用されている。ＡＥ回路は、前記データに基づいて、被写体輝度を測定し、絞り値やシャッタ速度等を決定する。ＡＷＢ回路は、オートホワイトバランス回路であり、撮影時のホワイトバランスを自動調整する。
【００２７】
レリーズボタンが全押しされると本撮影が実行されて、本画像が取り込まれる。本画像の画素数は、ＣＣＤイメージセンサ３３の画素数によって最大画素数が決定されるが、ファイン、ノーマルなどの設定により、記録画素数を変更することができる。スルー画やプレ画像の画像数は、本画像よりも少なく、例えば、本画像の１／１６程度の画素数で取り込まれる。
【００２８】
圧縮処理回路４８は、画像処理回路４７によって各種の画像処理が施された本画像のデータに対して、例えば、ＪＰＧなどの圧縮形式で圧縮処理を施して、画像ファイルを生成する。この画像ファイル生成時に、付帯情報が各タグ内に格納される。メディアコントローラ４９は、メモリーカード１１へアクセスして画像ファイルの書き込みと読み込みとを行う。再生モードにおいては、メモリーカード１１から圧縮された画像データが読み出されて、圧縮処理回路４８によって伸張処理が施された後、ＬＣＤ１４に出力される。
【００２９】
画像処理回路４７は、画像データに対して、ガンマ補正，シャープネス補正，コントラスト補正などの画質補正処理、ＣＣＤ−ＲＡＷデータを輝度信号であるＹデータと、青色色差信号であるＣｂデータ及び赤色色差信号であるＣｒデータとからなるＹＣデータに変換するＹＣ処理を施す。
【００３０】
さらに、画像処理回路４７は、主要被写体領域情報記録機能がアクティブの場合には、ストロボ発光無しで撮影されたプレ画像と、ストロボ発光有りで撮影された本画像とに基づいて、主要被写体領域判定処理を実行する。主要被写体領域判定は、プレ画像と本画像のそれぞれの画面内の対応する部分の輝度差を比較して、その輝度差が大きい高輝度領域を調べることにより行われる。
【００３１】
例えば、図２に示すように、主要被写体６１ａが人物であるシーン６１を撮影する場合には、ストロボ光は、近距離に位置する主要被写体６１ａには到達するが、背景には到達しない。このシーン６１に対してプレ撮影（ストロボ発光無し）と本撮影（ストロボ発光有り）とを行った場合には、主要被写体６１ａにおいてストロボ光の反射があるから、プレ画像と本画像とを比較した場合、主要被写体領域の輝度差は、画面内の他の領域と比較して大きくなる。図２（Ｂ）に示すように、輝度差の大きい高輝度領域を、フレームメモリ４２内の座標エリア６３にマッピングしていくことで、主要被写体領域６２を判定することができる。
【００３２】
このように、ストロボの反射光を利用して主要被写体領域を判定するので、画像の肌色部分を検知して判定を行う方法と比較して、主要被写体が人物でない場合でも誤判定を軽減することができる。また、ファインダを覗く撮影者の視線を検知する方法に比べて実用性が高い。
【００３３】
判定された主要被写体領域６２の位置情報は、付帯情報の１つとして、画像ファイルの被写体領域タグ内に格納される。ＥＸＩＦ規格の被写体領域タグは、格納できる情報量が限られているので、被写体領域の情報を矩形や円の座標データとして記録するように定めている。したがって、図２（Ｂ）や、図２（Ｃ）に示すように、主要被写体領域６２に内接又は外接する矩形６４や円６５を求めて、これらの座標データが前記位置情報として記録される。
【００３４】
また、この例では、画面内で高輝度領域が１つだけ抽出される例で説明しているが、シーンによっては、主要被写体領域以外にも無数の高輝度領域が存在し得る。例えば、夜間撮影を行った場合には、街灯などの灯りが映し出される部分は高輝度領域となり得るし、主要被写体よりも近距離にある部分は高輝度領域となり得る。したがって、主要被写体領域の判定を行う際には、まず、高輝度領域のうち、所定面積以上の高輝度領域を候補領域として抽出する。これにより、主要被写体にはなり得ない高輝度部分を排除することができる。さらに、候補領域が複数存在する場合には、例えば、画面の中心に近い方や、より領域の面積が大きい方を主要被写体領域と判定する。
【００３５】
また、図３（Ａ）に示すように、本画像７１とプレ画像７２とでは、画素数が異なる。本画像７１の画素数は、例えば、１２８０×９６０であるのに対して、プレ画像７２の画素数は、その１／１６の３２０×２４０である。このため、両画面内の対応する部分の比較においては、図３（Ｂ）に示すように、プレ画像７２の１画素に対して、本画像７１の１６画素が比較される。
【００３６】
すなわち、本画像７１の画素をＤａ、その輝度値をＹａ、プレ画像７２の画素をＤｂ、その輝度値をＹｂとすると、プレ画像７２の画面内左上の画素Ｄｂ１１に対応する部分は、本画像７１の画面内左上の１６個の画素Ｄａ１１〜Ｄａ４４に相当する。このため、比較に当たっては、まず、本画像７１の１６個分の画素Ｄａの輝度値Ｙａの平均輝度値Ｙａａｖｇ　を求め、この平均輝度値Ｙａａｖｇ　と、プレ画像７２の画素Ｄｂの輝度値Ｙｂとの輝度差ｄＹが求められる。そして、この輝度差ｄＹと、予め設定された閾値Ｓとを比較して、輝度差ｄＹが閾値Ｓよりも大きい画素位置（輝度差ｄＹ＞閾値Ｓの部分）を高輝度部分としてマッピングしていく。
【００３７】
以下、上記構成による作用について、図４及び図５のフローチャートに従って説明する。電源がオンされて撮影モードが選択されると、ＣＣＤイメージセンサ３３のスルー画取り込みが開始されて、ＬＣＤ１４にスルー画が再生表示される。撮影者は、この表示を見ながらフレーミングを行う。主要被写体領域を記録する場合には、設定により主要被写体領域記録機能をアクティブにする。主要被写体領域記録機能がアクティブにされると、ストロボ発光モードが自動的に強制発光モードへ切り替わる。
【００３８】
レリーズボタンが半押しされると、プレ撮影が行われてプレ画像が取り込まれて、フレームメモリ４２へ書き込まれる。ＡＦ回路４３，ＡＥ／ＡＷＢ回路４４は、このプレ画像を読み出して、焦点位置と露出値などの撮影条件を決定する。この撮影条件に基づいてピント調節や絞り調節が行われる。
【００３９】
レリーズボタンが全押しされると、本撮影が実行される。主要被写体領域記録機能がアクティブの場合には、ストロボが強制発光される。ＣＣＤイメージセンサ３３は、本画像を取り込み、このデータをフレームメモリ４２へ書き込む。画像処理回路４７は、この本画像に対して各種の画質補正処理を施す。画質補正処理が終了すると、主要被写体領域判定処理が実行される。主要被写体領域判定処理では、プレ画像と本画像の対応する部分の輝度値を比較して輝度差ｄＹを算出する。輝度差ｄＹが閾値Ｓよりも大きい場合には、その高輝度位置を座標エリア６２にマッピングしていく。これを全画素分の比較が終了するまで繰り返す。
【００４０】
全画素分の比較が終了したら、マッピングされた高輝度位置から所定面積以上の高輝度領域を候補領域として抽出する。候補領域が１つだけ抽出された場合には、その候補領域を主要被写体領域と判定する。候補領域が複数有る場合には、例えば、画面の中心に一番近い候補領域を主要被写体領域と判定する。もちろん、複数の候補領域の中で最も面積の大きい領域を主要被写体領域と判定してもよいし、これらの判定基準を組み合わせてもよい。
【００４１】
主要被写体領域を判定できた場合には、その情報を被写体領域タグに格納して画像ファイルを生成して、その画像ファイルがメモリーカード１１へ記録される。他方、判定できない場合には、被写体領域タグを空欄にして画像ファイルが生成されて、その画像ファイルがメモリーカード１１へ記録される。次回の撮影をする場合には、上記手順が繰り返される。
【００４２】
メモリーカード１１に記録された画像をプリントする場合には、プリンタは、画像ファイル内の被写体領域情報を参照して画像処理を施す。このため、適切な画像処理が行われるので、良好なプリント画像が得られる。
【００４３】
上記実施形態では、主要被写体領域判定をするために、プレ撮影をストロボ発光無しで行い、ストロボを強制発光させて本撮影を行っている。プレ撮影と本撮影とは、デジタルカメラの通常の撮影手順に含まれるので、これら２回の撮影によって得られた２つの画像を利用することで、主要被写体領域判定をするための専用の撮影をする必要がない。このため、撮影処理プログラムに大幅な変更を加えることなく、主要被写体判定機能を追加することができるので、コスト的なメリットを得ることができる。また、専用の撮影をしなくてもよいので、主要被写体領域判定を行う場合でも、撮影処理時間が大幅に増加するようなこともない。
【００４４】
しかし、シーンによっては本撮影でストロボ光が不要な場合もある。そのような場合には、撮影条件を得るためのプレ撮影とは別に、主要被写体領域判定のための専用の撮影（ストロボ発光有り）を行い、これにより得られた画像と、ストロボ発光無しで撮影した本画像とを比較して主要被写体領域判定を行ってもよい。また、画素数が異なる２つの画像を比較して、主要被写体判定を行っているが、もちろん、同じ画素数の２つの画像を比較して判定を行ってもよい。
【００４５】
また、判定により得られた主要被写体領域情報をメモリーカードへ記録する例で説明しているが、メモリーカードへ記録せずに、前記領域情報をカメラが実行する画像補正処理に利用してもよい。
【００４６】
上記実施形態では、本発明をデジタルカメラに適用した例で説明したが、カメラ付き携帯電話やカメラ付きＰＣなど、デジタルカメラ以外の各種撮像装置に適用してもよい。
【００４７】
【発明の効果】
以上詳細に説明したように、本発明のデジタルカメラは、被写体を撮像して撮影画像を得る撮像手段と、ストロボ装置とを備えたデジタルカメラにおいて、同じシーンに対して、ストロボ発光有りとストロボ発光無しの２回の撮影を行い、これらによって得られた２つの画像のそれぞれの画面内の対応する部分の輝度差を求める輝度差算出手段と、前記輝度差が予め設定された閾値よりも大きく、かつ所定面積以上の大きさを持つ高輝度領域を調べて、主要被写体領域を判定する主要被写体領域判定手段とを設けたから、実用性が高く、しかも、誤判定が少ない主要被写体領域判定機能を持つデジタルカメラを提供することができる。
【図面の簡単な説明】
【図１】デジタルカメラの電気構成の概略を示すブロック図である。
【図２】主要被写体判定の説明図である。
【図３】プレ画像と本画像との比較方法を示す説明図である。
【図４】撮影手順を示すフローチャートである。
【図５】主要被写体判定手順を示すフローチャートである。
【符号の説明】
１０　デジタルカメラ
１６　ストロボ装置
３３　ＣＣＤイメージセンサ
４１　ＤＳＰ
４２　フレームメモリ
４７　画像処理回路
６２　座標エリア
６３　主要被写体領域
７１　本画像
７２　プレ画像
【図１】
2004135184.tif 000003
【図２】
2004135184.tif 000004
【図３】
2004135184.tif 000005
【図４】
2004135184.tif 000006
【図５】
2004135184.tif 000007